(57)【特許請求の範囲】
【請求項１】
カメラを実装するカメラ基板と、
前記カメラ基板を表示部の縁部に設けられた額縁に配置するために、第一の面と当該第一の面に対向する第二の面とを跨ぐ第三の面に前記カメラ基板を固定可能で、前記額縁の裏面側から挿入可能で前記カメラを前記額縁の表面側に位置させるカメラホルダと、
前記カメラ基板に設けられた第一のコネクタに接続可能な、前記カメラと電気的に接続されるカメラケーブルに設けられた第二のコネクタの表面と略平行に前記第二のコネクタの裏面側に設けられた、板状の部分を有する支持部材と、
前記カメラホルダに設けられ、前記カメラ基板の固定位置から前記カメラ基板の延在方向にずれて位置する、前記第一のコネクタの表面と略平行な平面の部分を有する取付領域部と、
を備え、
前記第一のコネクタに前記第二のコネクタが電気的に接続可能な状態にされるときに、前記支持部材の前記板状の部分の少なくとも一部が、前記取付領域部の前記平面の部分に接触可能である、カメラモジュールの組立構造。
【請求項２】
前記カメラホルダの前記取付領域部は、前記第三の面から突出形成され、その突出高さは、前記平面の部分に前記板状の部分が接触するときに、前記第一のコネクタの前記表面と前記第二のコネクタの前記表面が略平行な状態で前記第一のコネクタと前記第二のコネクタとが電気的に接続される高さに設定された、請求項１に記載のカメラモジュールの組立構造。
【請求項３】
前記カメラホルダは、前記第一の面と前記第二の面を含み前記額縁の奥行き方向に延在する第一のホルダ部と、当該第一のホルダ部に対して、前記奥行き方向とは異なる方向に延在する第二のホルダ部と、で構成される、請求項１または請求項２に記載のカメラモジュールの組立構造。
【請求項４】
前記カメラケーブルは、前記第二のコネクタに接続された複数の配線パターンを表裏面に配置する、請求項１から請求項３のいずれか１項に記載のカメラモジュールの組立構造。
【請求項５】
表示部と、
カメラを実装するカメラ基板と、
前記カメラ基板を前記表示部の縁部に設けられた額縁に配置するために、第一の面と当該第一の面に対向する第二の面とを跨ぐ第三の面に前記カメラ基板を固定可能で、前記額縁の裏面側から挿入可能で前記カメラを前記額縁の表面側に位置させるカメラホルダと、
前記カメラ基板に設けられた第一のコネクタに接続可能な、前記カメラと電気的に接続されるカメラケーブルに設けられた第二のコネクタの表面と略平行に前記第二のコネクタの裏面側に設けられた、板状の部分を有する支持部材と、
前記カメラホルダに設けられ、前記カメラ基板の固定位置から前記カメラ基板の延在方向にずれて位置する、前記第一のコネクタの表面と略平行な平面の部分を有する取付領域部と、
を備え、
前記第一のコネクタに前記第二のコネクタが電気的に接続可能な状態にされるときに、前記支持部材の前記板状の部分の少なくとも一部が、前記取付領域部の前記平面の部分に接触可能である、電子機器。
【発明の詳細な説明】
【技術分野】
【０００１】
本発明の実施形態は、カメラモジュールの組立構造および電子機器に関する。
【背景技術】
【０００２】
従来、電子機器である情報処理装置の一つとして普及しているパーソナルコンピュータ（ＰＣ）の態様として、大別して、いわゆる、デスクトップタイプと、ノートタイプがある。そして、近年の傾向として、情報処理装置の表示部である表示装置（モニタ）に撮像部（カメラ、カメラモジュール）を備えるものが増えている。カメラモジュールは、例えば、テレビ会議システムやテレビ電話システムにおいて、情報処理装置の利用者（被撮像体）の顔等を撮像し、ネットワークに接続された他者と画像共有を行ったり、資料等を撮像して他者と共有したりすることを可能にしている。上述したようカメラモジュールは、非使用時に、例えば、表示装置の額縁の内部に収納され、表示装置の意匠性の向上を図っている場合がある。そして、利用者が、カメラモジュールを使用する場合は、額縁からカメラモジュールを引き出す操作を行うことで、カメラによる撮影処理を実行可能な状態にしている。
【先行技術文献】
【特許文献】
【０００３】
【特許文献１】特開２０１８−１４８３６１号公報
【発明の概要】
【発明が解決しようとする課題】
【０００４】
しかしながら、上述したように、カメラモジュールを使用時に額縁から引き上げる構造の場合、使用の都度、額縁からカメラモジュールを引き上げる操作が必要になり、利用者に煩わしさを与える可能性がある。また、使用時のカメラモジュールの突出は収納時に比べて意匠性を低下させてしまう場合がある。そこで、カメラモジュールを額縁に収納した状態のまま、カメラを利用可能にすることが考えられるが、近年の傾向として狭額縁化がある。つまり、額縁を細くすることで、表示装置を大型化することなく表示領域を広げるような構造が増えている。その結果、カメラモジュールを構成する基板や基板に搭載されるコネクタも狭額縁に対応し細く、小型化せざるを得ない。この場合、基板を狭額縁の裏面側から挿入し、カメラモジュールを狭額縁の前面側に露出させる必要があるが、コネクタが細く、小形であるため、基板側のコネクタにケーブル側のコネクタを平行かつ安定して接続すること難しいという問題があった。
【０００５】
従って、本発明が解決する課題の一例は、表示部の縁部に設けられる額縁に組付ける基板のコネクタにケーブル側のコネクタを略平行かつ安定して組み付けやすいカメラモジュールの組立構造およびそのような組立構造を備える電子機器を提供することである。
【課題を解決するための手段】
【０００６】
本発明の第１態様に係るカメラモジュールの組立構造は、カメラを実装するカメラ基板と、前記カメラ基板を表示部の縁部に設けられた額縁に配置するために、第一の面と当該第一の面に対向する第二の面とを跨ぐ第三の面に前記カメラ基板を固定可能で、前記額縁の裏面側から挿入可能で前記カメラを前記額縁の表面側に位置させるカメラホルダと、前記カメラ基板に設けられた第一のコネクタに接続可能な、前記カメラと電気的に接続されるカメラケーブルに設けられた第二のコネクタの表面と略平行に前記第二のコネクタの裏面側に設けられた、板状の部分を有する支持部材と、前記カメラホルダに設けられ、前記カメラ基板の固定位置から前記カメラ基板の延在方向にずれて位置する、前記第一のコネクタの表面と略平行な平面の部分を有する取付領域部と、を備え、前記第一のコネクタに前記第二のコネクタが電気的に接続可能な状態にされるときに、前記支持部材の前記板状の部分の少なくとも一部が、前記取付領域部の前記平面の部分に接触可能である。
【０００７】
本発明の第２態様に係る電子機器は、表示部と、カメラを実装するカメラ基板と、前記カメラ基板を前記表示部の縁部に設けられた額縁に配置するために、第一の面と当該第一の面に対向する第二の面とを跨ぐ第三の面に前記カメラ基板を固定可能で、前記額縁の裏面側から挿入可能で前記カメラを前記額縁の表面側に位置させるカメラホルダと、前記カメラ基板に設けられた第一のコネクタに接続可能な、前記カメラと電気的に接続されるカメラケーブルに設けられた第二のコネクタの表面と略平行に前記第二のコネクタの裏面側に設けられた、板状の部分を有する支持部材と、前記カメラホルダに設けられ、前記カメラ基板の固定位置から前記カメラ基板の延在方向にずれて位置する、前記第一のコネクタの表面と略平行な平面の部分を有する取付領域部と、を備え、前記第一のコネクタに前記第二のコネクタが電気的に接続可能な状態にされるときに、前記支持部材の前記板状の部分の少なくとも一部が、前記取付領域部の前記平面の部分に接触可能である。
【発明の効果】
【０００８】
本発明の上記態様によれば、支持部材が、カメラ基板に設けられた第一のコネクタと、カメラケーブルに設けられた第二のコネクタとが接続された状態を、第二のコネクタの裏面側から支持する。このとき、支持部材は、カメラホルダのカメラ基板の固定位置からカメラ基板の延在方向にずれた位置に形成された取付領域部と少なくとも一部が接触する。その結果、第一のコネクタと第二のコネクタとを略平行かつ安定して支持することができる。
【図面の簡単な説明】
【０００９】
【図１】図１は、実施形態にかかるカメラモジュールの組立構造を適用可能な電子機器の一例である情報処理装置（ＰＣ）の外観を説明する例示的かつ模式的な正面図である。
【図２】図２は、実施形態にかかるカメラモジュールの組立構造のカメラモジュールの例示的かつ模式的な正面拡大図である。
【図３】図３は、実施形態にかかるカメラモジュールの組立構造を適用した情報処理装置のリアカバーを外した状態を示す例示的かつ模式的な背面図である。
【図４】図４は、実施形態にかかるカメラモジュールの組立構造を構成するカメラホルダを背面側から見た場合の例示的かつ模式的な斜視図である。
【図５】図５は、実施形態にかかるカメラモジュールの組立構造を構成するカメラホルダにカメラが実装されたカメラ基板が固定された状態、およびカメラ基板に接続するカメラケーブルを示す例示的かつ模式的な斜視図である。
【図６】図６は、実施形態にかかるカメラモジュールの組立構造を構成するカメラホルダに固定されたカメラ基板にカメラケーブルが接続されている状態を示す例示的かつ模式的な斜視図である。
【図７】図７は、実施形態にかかるカメラモジュールの組立構造を構成するカメラホルダに固定されたカメラ基板にカメラケーブルが接続されている状態を示す例示的かつ模式的な上面視図である。
【発明を実施するための形態】
【００１０】
以下、本発明の例示的な実施形態が開示される。以下に示される実施形態の構成、ならびに当該構成によってもたらされる作用、結果、および効果は、一例である。本発明は、以下の実施形態に開示される構成以外によっても実現可能であるとともに、基本的な構成に基づく種々の効果や、派生的な効果のうち、少なくとも一つを得ることが可能である。
【００１１】
図１は、実施形態にかかるカメラモジュール１０の組立構造を適用可能な電子機器の一例である情報処理装置１２（パーソナルコンピュータ：ＰＣ）の外観を示す例示的かつ模式的な正面図である。なお、図１は、情報処理装置１２の一例として、ＰＣ本体部と表示装置１４とが一体化された、いわゆる、オールインワンタイプのデスクトップ型ＰＣを示している。この場合、情報処理装置１２全体を電子機器と称する。また、ＰＣ本体部と表示装置１４とが電気的に接続されているが、筐体としては分離された分離タイプの場合、表示装置１４のみを電子機器と称する場合がある。
【００１２】
本実施形態の表示装置１４は、表示部１４ａの外縁部である額縁１６を正面視した場合に、その面積を極力小さくすることにより、表示装置１４の外形サイズを拡大することなく、表示部１４ａの有効面積（表示面積）を拡大する、いわゆる「狭額縁タイプの表示装置」である。図１の場合、表示装置１４は、例えば、２４インチ相当のサイズで、上部の額縁１６の矢印Ｙ方向の長さ（額縁幅）は、例えば、数ｍｍ〜５ｍｍ程度である。カメラモジュール１０は、上部の額縁１６のほぼ中央の位置で、矢印Ｘ方向に延設された開口部１６ａに表示装置１４の裏面側から装着されている。
【００１３】
図２は、カメラモジュール１０の例示的かつ模式的な正面図である。カメラモジュール１０は、可視光画像を撮像する第１カメラ１８が、カメラモジュール１０の図中矢印Ｘ方向のほぼ中央部に配置され、当該カメラモジュール１０の側方（例えば右側方）に、近赤外域の主として認証用の画像を撮像する第２カメラ２０が配置されている。第１カメラ１８および第２カメラ２０は、例えば、ＣＣＤ（Charge  Coupled  Device）やＣＩＳ（CMOS  image  sensor）等の撮像素子を内蔵するデジタルカメラである。第１カメラ１８および第２カメラ２０は、所定のフレームレートで動画データ（撮像画像データ、画像情報）を出力することができる。
【００１４】
第１カメラ１８は、赤外光領域をカットするフィルタを備え、第２カメラ２０の撮像の結果、情報処理装置１２が正規ユーザの認証を完了させた後に、ユーザの操作に基づいて、例えば、人物や風景等の可視光画像の撮像を行う場合に利用される。なお、情報処理装置１２が認証処理を行うのに先立ち、周囲の明るさが認証に適した明るさであるか否かを判定するために、周囲の明るさを示す可視光画像を、ユーザの操作に拘わらず撮像するようにしてもよい。
【００１５】
第２カメラ２０は、可視光域をカットするフィルタを備え、例えば、波長域が７８０ｎｍ〜２５００ｎｍの近赤外域の画像を撮像する。第２カメラ２０は、カメラモジュール１０の矢印Ｘ方向の左右端側に配置された近赤外線照射部２０ａ（例えば、赤外ＬＥＤ）が照射する近赤外光が対象物、この場合、情報処理装置１２を利用する人間（主に表示装置１４を覗き込んでいる、表示装置１４に対面している人間）の顔で反射した近赤外光に基づく画像を撮像する。第２カメラ２０は、主に顔認証や虹彩認証を行う場合にのみ、撮像を行う。したがって、近赤外線照射部２０ａも第２カメラ２０が撮像を行うタイミングに合わせて、近赤外光を照射する。なお、近赤外線画像による認証を行わない仕様の情報処理装置１２の場合等は、第２カメラ２０および近赤外線照射部２０ａを省略してもよい。
【００１６】
第１カメラ１８、第２カメラ２０、近赤外線照射部２０ａ等は、後述する、矢印Ｘ方向に細長いカメラ基板上に実装される。カメラモジュール１０は、第１カメラ１８、第２カメラ２０、近赤外線照射部２０ａのみが額縁１６から露出するように、カメラ基板をカメラカバー１０ａで覆っている。なお、本実施形態では、カメラ基板、第１カメラ１８、第２カメラ２０、近赤外線照射部２０ａをまとめた状態をカメラモジュール１０と称する。図１、図２に示されるように、カメラ基板、第１カメラ１８、第２カメラ２０、近赤外線照射部２０ａを備えるカメラモジュール１０は、額縁１６の図中矢印Ｙ方向の幅に納まる細形であり、上述のように、第１カメラ１８、第２カメラ２０、近赤外線照射部２０ａが額縁１６の表面に常時露出した状態である。この場合、額縁１６を構成する材質（例えば樹脂材料）の色や質感と、カメラカバー１０ａを構成する材料の色や質感とを一致または類似させておくことにより、カメラモジュール１０と額縁１６との一体感が増し、カメラモジュール１０が目立ち難くなり、情報処理装置１２の意匠性を向上することができる。また、第１カメラ１８、第２カメラ２０、近赤外線照射部２０ａが常時露出しているので、従前のようにカメラモジュールの引き出しや収納の操作が不要となり、使い勝手の向上ができる。
【００１７】
図３は、情報処理装置１２のリアカバーを外した状態を示す例示的かつ模式的な背面図である。図３の上部中央には、カメラモジュール１０（カメラ基板）を支持するカメラホルダ２２の背面（カメラ基板を支する面とは逆側の面）が露出した状態が示されている。また、図４は、カメラホルダ２２を背面側（カメラモジュール１０が搭載されない側）から見た場合の例示的かつ模式的な斜視図である。
【００１８】
カメラホルダ２２は、例えば射出成形等で形成された、矢印Ｘ方向、つまり、カメラモジュール１０の延在方向に長い部品である。カメラホルダ２２は、図４に示されるように、第一のホルダ部２２ａと、当該第一のホルダ部２２ａに対して、奥行き方向（矢印Ｚ方向）とは異なる方向に延在する第二のホルダ部２２ｂとで構成される、矢印Ｙ−Ｚ方向に沿う面の断面形状が、例えば、略Ｌ字形状の部品である。そして、カメラホルダ２２の略Ｌ字形状のうち、矢印Ｚ方向に延びる第一のホルダ部２２ａが、図３に示されるように、情報処理装置１２の裏面側から、上部の額縁１６の奥行き方向（Ｚ方向）に挿入可能に構成されている。第一のホルダ部２２ａが奥行き方向に挿入された状態で、図３に示されるように、カメラホルダ２２の略Ｌ字形状のうち、矢印Ｙ方向に延びる第二のホルダ部２２ｂが、表面側（紙面裏面側）に額縁１６を支持するフロントカバー２４の裏面側に、例えばねじ等の締結部材２６によって固定される。カメラホルダ２２の第二のホルダ部２２ｂには、図４に示されるように、締結部材２６を挿通するためのねじ穴部２６ａが形成されている。
【００１９】
前述したように、カメラホルダ２２には、カメラモジュール１０が固定される。そして、カメラモジュール１０に対して信号や電力の供給を行うカメラケーブル２８が接続されている。後述するが、カメラケーブル２８の一端は、カメラモジュール１０に設けられた第一のコネクタに接続される第二のコネクタが設けられ、カメラケーブル２８の他端には、メインボード接続コネクタ３０が設けられている。メインボード接続コネクタ３０は、情報処理装置１２全体の制御を行うメインボード３２に接続される。なお、情報処理装置１２の内部には、メインボード３２の他、通信を行う通信ボードや記憶装置、電源ユニット等多数のユニットが搭載されているが、本実施形態のカメラモジュール１０の組立構造には、直接的には関連しないので、その説明は省略する。
【００２０】
図５は、カメラモジュール１０（カメラ基板３４）を組み付けた状態のカメラホルダ２２を、表面側（カメラモジュール１０の搭載側）から見た場合、およびカメラ基板３４に接続するカメラケーブル２８を示す例示的かつ模式的な斜視図である。
【００２１】
カメラ基板３４は、例えば一般的なプリント基板であり、上述するように、第１カメラ１８、第２カメラ２０、近赤外線照射部２０ａ等を実装する矢印Ｘ方向に細長い部品である。また、カメラ基板３４は、第１カメラ１８、第２カメラ２０、近赤外線照射部２０ａ等と電気的な接続を行うための第一のコネクタ３６を例えば、カメラ基板３４の端部に実装する。また、カメラ基板３４は、第１カメラ１８、第２カメラ２０、近赤外線照射部２０ａ等を制御するための各種回路が実装されている。その回路は、ノイズ等から保護するためのシールド３４ａで覆われている。さらに、カメラ基板３４には、マイク等を実装する場合に利用するマイク実装領域３８を備える。図５は、マイクが非実装の状態を示している。また、マイクを実装しない仕様の場合には、マイク実装領域３８を省略してもよい。
【００２２】
前述したように、カメラモジュール１０は、矢印Ｙ方向の幅の狭い額縁１６に組み付けられるため、カメラ基板３４に実装される各部品は、矢印Ｘ方向に配列され、矢印Ｙ方向の幅が増大することが抑制されている。
【００２３】
また、本実施形態において、矢印Ｙ方向の幅の狭いカメラ基板３４（カメラモジュール１０）は、図３に示されるように情報処理装置１２の背面側から情報処理装置１２の前面側に挿入される。そのため、カメラホルダ２２は、図５に示されるように、第一のホルダ部２２ａを構成する第一の面２２ａａと当該第一の面２２ａａに対向する第二の面２２ａｂとを矢印Ｙ方向に跨ぎ、矢印Ｘ方向に広がる第三の面２２ａｃに、カメラ基板３４（カメラモジュール１０）を固定している。つまり、カメラホルダ２２（第一のホルダ部２２ａ）は、情報処理装置１２に組み付けた場合に、情報処理装置１２の表面側に向く厚み部分にカメラ基板３４（カメラモジュール１０）固定している。この場合、第三の面２２ａｃの矢印Ｙ方向の距離（厚み）は、カメラ基板３４の矢印Ｙ方向の幅と同等か僅かに長く形成されている。その結果、カメラホルダ２２は、カメラ基板３４（カメラモジュール１０）を効率的かつ安定的に支持、固定することができる。
【００２４】
第１カメラ１８、第２カメラ２０、第一のホルダ部２２ａ等は、第一のコネクタ３６を介して、外部（メインボード３２）との間で信号の送受や電力の供給を受けるが、上述したように、カメラ基板３４（カメラモジュール１０）は、狭い額縁１６に配置される。そのため、第一のコネクタ３６もカメラ基板３４に収める必要があり、矢印Ｙ方向の幅が狭く矢印Ｘ方向に細長い形状になる。その結果、カメラケーブル２８に設けられた第二のコネクタ４０と第一のコネクタ３６とを、相互の接合力によってのみ接続する場合は、安定性に欠け、接続姿勢を例えば平行に維持することが難しい場合がある。
【００２５】
そこで、本実施形態のカメラモジュール１０の組立構造は、カメラ基板３４に設けられた第一のコネクタ３６と、カメラケーブル２８に設けられた第二のコネクタ４０とが接続された状態を、第二のコネクタ４０の裏面側から支持して維持する支持部材４２を備える。この支持部材４２は、カメラホルダ２２のカメラ基板３４の固定位置から表示装置１４の幅方向（Ｘ方向）にずれた位置に形成された取付領域部４４と少なくとも一部が接触するように構成されている。
【００２６】
図５に示されるように、支持部材４２は、カメラケーブル２８の一部として構成されている。そこで、まずカメラケーブル２８の構成について説明する。
【００２７】
カメラケーブル２８は、周知のＦＰＣ（Flexible  Printed  Circuits）で構成可能な長尺のケーブルであり、一端側に第一のコネクタ３６と接続可能な第二のコネクタ４０を備え、他端側にメインボード３２側（図３参照）と接続可能なメインボード接続コネクタ３０を備えている。カメラケーブル２８の延在方向の形状は、カメラ基板３４を固定したカメラホルダ２２が情報処理装置１２に組み付けられた状態の第一のコネクタ３６の位置と、メインボード３２側のメインボード接続コネクタ３０が接続される位置とにしたがい決定される。
【００２８】
第一のコネクタ３６と接続可能な第二のコネクタ４０は、カメラケーブル２８の例えば表面側である第１面２８ａの一方端部から他方端部側にずれた位置に固定される。つまり、第二のコネクタ４０より一方端部側に余剰部２８ｙを形成している。そして、カメラケーブル２８の第１面２８ａおよびカメラケーブル２８の裏面側である第２面２８ｂには、複数の配線パターン４６が配置されている。例えば、第１面２８ａ側に配置された配線パターン４６ａは、第１面２８ａ上に固定された第二のコネクタ４０の端子に直接接続されている。一方、第２面２８ｂ側に配置された配線パターン４６ｂは、余剰部２８ｙの端部（カメラケーブル２８の一方端部側の終端近傍）に形成されたビアホール４６ｂａを介して、第１面２８ａ側に回り込ませ、第１面２８ａ上に固定された第二のコネクタ４０の端子に接続されている。このように、第二のコネクタ４０に接続する配線パターン４６を第１面２８ａおよび第２面２８ｂの両方を用いて配索することにより、配置できる配線パターン４６の本数を増やすことができると共に、各配線パターン４６の幅を広くすることができる。その結果、配線パターン４６に流せる電流量をより多く確保することができる。また、ビアホール４６ｂａを第二のコネクタ４０の固定位置から遠ざけて配置することにより、ビアホール４６ｂａが形成しやすくなる。また、余剰部２８ｙを形成することなく、カメラケーブル２８の一端側の終端部に第二のコネクタ４０を固定した場合、第二のコネクタ４０に対して、カメラケーブル２８が片持ちで接続されることになる。つまり、第二のコネクタ４０がカメラケーブル２８から外れやすく成る場合がある。一方、図５に示されるように、余剰部２８ｙを形成することにより、上述のような片持ち状態の接続が防止される。その結果、第二のコネクタ４０に対してカメラケーブル２８をバランスよく、安定して固定することができる。
【００２９】
また、図５において、第１面２８ａに固定された第二のコネクタ４０に対応する位置の第２面２８ｂには、硬質材料で形成された支持部材４２が固定されている。つまり、カメラケーブル２８を挟んで第二のコネクタ４０の裏側に、支持部材４２が固定されている。支持部材４２は、例えば、カメラ基板３４と同様なプリント基板で構成されてもよいし、樹脂材料や金属材料で構成されてもよい。支持部材４２を金属材料で構成する場合、第２面２８ｂ上に配索される配線パターン４６ｂと支持部材４２との間に絶縁シート等の絶縁部材を介在させて絶縁を確保する。
【００３０】
支持部材４２は、図５に示されるように、カメラケーブル２８（第二のコネクタ４０）の矢印Ｘ方向の幅より矢印Ｘ方向に長く延びた、サポート部４２ａを備える。そして、このサポート部４２ａが、カメラホルダ２２に形成された取付領域部４４に接触（好ましくは、密着）する。
【００３１】
図６は、カメラホルダ２２に固定されたカメラ基板３４に、カメラケーブル２８を接続した状態を示す例示的かつ模式的な斜視図である。また、図７は、図６の上面視図である。
【００３２】
図６、図７に示されるように、支持部材４２のサポート部４２ａは、取付領域部４４と接触することにより、第一のコネクタ３６に第二のコネクタ４０が実質的に略平行に接続された状態を支持する。この場合、カメラホルダ２２の取付領域部４４は、図５、図７に示されるように、第三の面２２ａｃから矢印Ｚ方向に例えば突出形成されている。取付領域部４４の突出高さＨは、第一のコネクタ３６に第二のコネクタ４０が実質的に略平行に接続された状態を支持する支持部材４２（サポート部４２ａ）が接触し、略平行な接続状態を維持する高さに設定されている。つまり、第一のコネクタ３６と第二のコネクタ４０とが正常に接続された略平行姿勢に適合するように取付領域部４４の高さが設定されている。その結果、第一のコネクタ３６と第二のコネクタ４０との接続姿勢の平行度をより高精度に維持し、第一のコネクタ３６と第二のコネクタ４０との接続の安定性をより向上することができる。
【００３３】
なお、支持部材４２において、カメラケーブル２８の非接触面側には、軟質ゴムや樹脂等の弾性を備えるクッション材４８が設けられている。第一のコネクタ３６と第二のコネクタ４０とを接続する作業を行う際に、クッション材４８を介して押圧することにより、押圧力の偏りを緩和し、第一のコネクタ３６と第二のコネクタ４０とを略平行姿勢で接続し易くしている。また、第一のコネクタ３６と第二のコネクタ４０とを接続する作業を行う際に、過度の力が加わり、第一のコネクタ３６や第二のコネクタ４０を破損することを抑制することができる。なお、支持部材４２のサポート部４２ａが取付領域部４４に当接することにより、支持部材４２および取付領域部４４がストッパとして作用し、第一のコネクタ３６と第二のコネクタ４０の接続深さを一定に保つことができる。例えば、第一のコネクタ３６と第二のコネクタ４０との接続深さが規定の状態より浅すぎたり、逆に深すぎたり（過度な力がかかる状態）を回避し、接続の信頼性の向上に寄与することができる。
【００３４】
上述したように、本実施形態のカメラモジュール１０の組立構造では、第一のコネクタ３６と第二のコネクタ４０との接続位置とは別に、支持部材４２（サポート部４２ａ）と取付領域部４４との接続位置を設けている。その結果、上述したように、第一のコネクタ３６と第二のコネクタ４０との略平行姿勢での接続を実現し易くなると共に、例えば、情報処理装置１２に振動や衝撃が加わった場合でも、第一のコネクタ３６と第二のコネクタ４０との略平行姿勢を維持し易くなる。したがって、信頼性の維持、向上にも寄与することができる。
【００３５】
なお、図６、図７に示されるように、第一のコネクタ３６と第二のコネクタ４０を接続した状態で、カメラケーブル２８（余剰部２８ｙ）とカメラホルダ２２の第一の面２２ａａとを、例えば、テープ５０等の固定部材で固定してもよい。また、図示を省略しているが、カメラケーブル２８がカメラホルダ２２の第二の面２２ａｂ側に回り込んだ位置においてもテープ５０により、カメラケーブル２８と第二の面２２ａｂを固定するようにしてもよい。テープ５０による固定により、第一のコネクタ３６と第二のコネクタ４０との接続状態および支持部材４２と取付領域部４４との接触状態の維持がより安定して行える。また、カメラモジュール１０にカメラケーブル２８を組み付ける作業、またはその下流の作業工程において、カメラケーブル２８をカメラホルダ２２側に固定することができるので作業性の向上に寄与することができる。
【００３６】
このように、本実施形態のカメラモジュール１０の組立構造は、カメラ基板３４と、カメラホルダ２２と、支持部材４２とを備える。カメラ基板３４は、第１カメラ１８（第２カメラ２０）を実装する。カメラホルダ２２は、カメラ基板３４を、第一の面２２ａａと当該第一の面２２ａａに対向する第二の面２２ａｂとを跨ぐ第三の面２２ａｃに固定可能で、表示部１４ａの縁部の額縁１６に裏面側から挿入されて第１カメラ１８（第２カメラ２０）を額縁１６の表面側に位置させる。支持部材４２は、カメラ基板３４に設けられた第一のコネクタ３６と、第１カメラ１８（第２カメラ２０）と電気的に接続されるカメラケーブル２８に設けられた第二のコネクタ４０と、が接続された状態を、第二のコネクタ４０の裏面側から支持し、カメラホルダ２２のカメラ基板３４の固定位置からカメラ基板３４の延在方向（矢印Ｘ方向）にずれた位置に形成された取付領域部４４と少なくとも一部が接触する。この構成によれば、例えば、支持部材４２が、カメラ基板３４に設けられた第一のコネクタ３６と、カメラケーブル２８に設けられた第二のコネクタ４０とが接続された状態を、第二のコネクタ４０の裏面側から支持する。このとき、支持部材４２は、カメラホルダ２２のカメラ基板３４の固定位置からカメラ基板３４の延在方向方向（矢印Ｘ方向）にずれた位置に形成された取付領域部４４と少なくとも一部が接触する。その結果、第一のコネクタ３６と第二のコネクタ４０とを略平行かつ安定して支持することができる。
【００３７】
また、カメラホルダ２２の取付領域部４４は、第三の面２２ａｃから突出形成され、その突出高さＨは、第一のコネクタ３６に第二のコネクタ４０が実質的に略平行に接続された状態を支持する支持部材４２が接触する高さに設定されていてもよい。この構成によれば、例えば、第一のコネクタ３６と第二のコネクタ４０との接続姿勢の平行度をより高精度に維持し、第一のコネクタ３６と第二のコネクタ４０との接続の安定性をより向上することができる。
【００３８】
また、カメラホルダ２２は、第一の面２２ａａと第二の面２２ａｂを含み額縁１６の奥行き方向（矢印Ｚ方向）に延在する第一のホルダ部２２ａと、当該第一のホルダ部２２ａに対して、奥行き方向とは異なる方向に延在する第二のホルダ部２２ｂと、で構成されてもよい。この構成によれば、例えば、額縁１６の奥行き方向の奥の部分に、第三の面２２ａｃに固定したカメラモジュール１０を容易に挿入することができると共に、カメラホルダ２２を情報処理装置１２側（例えば、フロントカバー２４）に容易に固定することが可能で、カメラモジュール１０の組立作業性の向上に寄与することができる。
【００３９】
また、カメラケーブル２８は、第二のコネクタ４０に接続された複数の配線パターン４６を表裏面に配置してもよい。この構成によれば、例えば、カメラ基板３４に搭載可能な小型の第二のコネクタ４０に対応する狭幅のカメラケーブル２８に対して、配線パターン４６のより広い配索面積を確保して、より多くの電流量流せる。その結果、第１カメラ１８、第２カメラ２０、近赤外線照射部２０ａ等をスムーズに動作させることができる。
【００４０】
なお、上述した実施形態では、電子機器の一例として、ＰＣ本体と表示装置１４とが一体化された、いわゆるオールインワンタイプのデスクトップ型ＰＣがカメラモジュール１０の組立構造を含む構成を示した。別の実施形態では、ＰＣ本体部と表示装置１４とが電気的に接続されるような分離タイプの表示装置１４（この場合、表示装置１４が電子機器）に上述したカメラモジュール１０の組立構造を適用してもよく、上述した実施形態と同様の効果を得ることができる。
【００４１】
実施形態の電子機器（例えば単体の表示装置１４）は、表示部１４ａと、カメラ基板３４と、カメラホルダ２２と、支持部材４２とを備える。カメラ基板３４は、第１カメラ１８（第２カメラ２０）を実装する。カメラホルダ２２は、カメラ基板３４を、第一の面２２ａａと当該第一の面２２ａａに対向する第二の面２２ａｂとを跨ぐ第三の面２２ａｃに固定可能で、表示部１４ａの縁部の額縁１６に裏面側から挿入されて第１カメラ１８（第２カメラ２０）を額縁１６の表面側に位置させる。支持部材４２は、カメラ基板３４に設けられた第一のコネクタ３６と、第１カメラ１８（第２カメラ２０）と電気的に接続されるカメラケーブル２８に設けられた第二のコネクタ４０と、が接続された状態を、第二のコネクタ４０の裏面側から支持し、カメラホルダ２２のカメラ基板３４の固定位置からカメラ基板３４の延在方向（矢印Ｘ方向）にずれた位置に形成された取付領域部４４と少なくとも一部が接触する。この構成によれば、例えば、支持部材４２が、カメラ基板３４に設けられた第一のコネクタ３６と、カメラケーブル２８に設けられた第二のコネクタ４０とが接続された状態を、第二のコネクタ４０の裏面側から支持する。このとき、支持部材４２は、カメラホルダ２２のカメラ基板３４の固定位置からカメラ基板３４の延在方向方向（矢印Ｘ方向）にずれた位置に形成された取付領域部４４と少なくとも一部が接触する。その結果、第一のコネクタ３６と第二のコネクタ４０とを略平行かつ安定して支持することができる。
【００４２】
なお、上述した実施形態では、デスクトップタイプの情報処理装置１２にカメラモジュール１０の組立構造を適用する例を示した。他の実施形態では、いわゆるノートタイプの情報処理装置にも、本実施形態のカメラモジュール１０の組立構造を適用してもよく、上述した実施形態と同様の効果を得ることができる。
【００４３】
また、上述した実施形態では、カメラホルダ２２の断面形状が、図４に示すように、略Ｌ字形状（略直角）としている例を示したが、フロントカバー２４に対するカメラホルダ２２の固定姿勢に応じて、適宜変更可能であり、第一のホルダ部２２ａに対して、奥行き方向（矢印Ｚ方向）とは異なる方向（非直角方向）に第二のホルダ部２２ｂが延在していてもよく、同様の効果を得ることができる。また、フロントカバー２４形状によっては、第二のホルダ部２２ｂを省略してもよい。
【００４４】
また、支持部材４２のサポート部４２ａの面と、当該サポート部４２ａが接触する取付領域部４４の面は、共に扁平な面である場合を示したが、サポート部４２ａと取付領域部４４とが接触し、第一のコネクタ３６と第二のコネクタ４０との略平行な接続姿勢を維持できればよい。例えば、取付領域部４４側に矢印Ｘ方向に延びる凹条の溝を設け、サポート部４２ａ側に対応する凸条のキーを設けて、互いに嵌め合わせ可能な形状としてもよい。この場合、凹条の溝と凸条のキーを嵌め合わせることにより、上述した実施形態と同様に、第一のコネクタ３６と第二のコネクタ４０との略平行な接続姿勢を維持できるとともに、第一のコネクタ３６と第二のコネクタ４０との接続時の位置合わせを正確に行うことが可能となる。その結果、第一のコネクタ３６と第二のコネクタ４０の接続安定性をより向上することができる。また、図７では、支持部材４２（サポート部４２ａ）と取付領域部４４とが密着している例を示しているが、第一のコネクタ３６と第二のコネクタ４０との略平行な接続姿勢を維持できればよい。例えば、支持部材４２（サポート部４２ａ）と取付領域部４４の一部が接触するような構成でも、本実施形態と同様の効果を得ることができる。
【００４５】
また、図１では、カメラモジュール１０を情報処理装置１２の上部の額縁１６のほぼ中央に配置する例を示したが、カメラモジュール１０は、額縁１６のいずれの位置に配置してもよく、同様の効果を得ることができる。
【００４６】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００４７】
１０…カメラモジュール、１２…情報処理装置、１４…表示装置、１４ａ…表示部、１６…額縁、１８…第１カメラ、２０…第２カメラ、２０ａ…近赤外線照射部、２２…カメラホルダ、２２ａ…第一のホルダ部、２２ａａ…第一の面、２２ａｂ…第二の面、２２ａｃ…第三の面、２２ｂ…第二のホルダ部、２８…カメラケーブル、２８ａ…第１面、２８ｂ…第２面、２８ｙ…余剰部、３４…カメラ基板、３６…第一のコネクタ、４０…第二のコネクタ、４２…支持部材、４２ａ…サポート部、４４…取付領域部、４６、４６ａ，４６ｂ…配線パターン。
【要約】
【課題】表示部の縁部に設けられる額縁に組付ける基板のコネクタにケーブル側のコネクタを略平行かつ安定して組み付けやすいカメラモジュールの組立構造を提供する。
【解決手段】カメラモジュールの組立構造は、カメラを実装するカメラ基板と、カメラ基板を、第一の面と当該第一の面に対向する第二の面とを跨ぐ第三の面に固定可能で、表示部の縁部に設けられる額縁に裏面側から挿入可能でカメラを額縁の表面側に位置させるカメラホルダと、カメラ基板に設けられた第一のコネクタと、カメラと電気的に接続されるカメラケーブルに設けられた第二のコネクタとが接続された状態を、第二のコネクタの裏面側から支持し、カメラホルダのカメラ基板の固定位置からカメラ基板の延在方向にずれた位置に形成された取付領域部と少なくとも一部が接触する支持部材と、を備える。
【選択図】図７【図１】
0006928293.tif 000002
【図２】
0006928293.tif 000003
【図３】
0006928293.tif 000004
【図４】
0006928293.tif 000005
【図５】
0006928293.tif 000006
【図６】
0006928293.tif 000007
【図７】
0006928293.tif 000008